(57)【特許請求の範囲】
【請求項１】
音源から入力された音響データを記録装置に記録する音響データ記録方法であって、
複数の記録領域に対して、所定の識別情報を関連付ける識別ステップと、
音源から音響データを入力する入力ステップと、
入力された音響データに付加された所定の付加情報を検出する検出ステップと、
検出された付加情報と、識別情報とを比較して入力された音響データを記録する記録領域を決定する決定ステップと、
決定した記録領域に音響データを記録する記録ステップとを有し、
前記音源は、音響データが多重化された放送信号であり、
放送信号の受信品質を検知する検知ステップを有し、
前記記録ステップでは、検知された受信品質と音響データとを関連付けて記録し、
既に記録されている音響データが入力されたとき、前記決定ステップでは、記録されている受信品質と、検知された受信品質と比較し、検知された受信品質の方が高い場合は、検知された受信品質と入力された音響データとを記録することを特徴とする音響データ記録方法。
【請求項２】
前記決定ステップでは、検知された受信品質が所定の品質より低い場合は、記録領域を決定せず、記録を中止することを特徴とする請求項１記載の音響データ記録方法。
【請求項３】
前記記録ステップで記録したときに、いずれの記録領域に記録したかをユーザに報知する報知ステップを有することを特徴とする請求項１または２に記載の音響データ記録方法。
【請求項４】
前記記録領域は、関連付けられた識別情報に一致した付加情報を有する音響データのみを記録する個別記録領域と、
個別記録領域に関連付けられた識別情報と付加情報にかかわらず音響データの全てを記録する一時記録領域とを有し、
一時記録領域に記録した音響データのうち、所定の削除条件に合致した音響データを削除する削除ステップを有することを特徴とする請求項１〜３のいずれか１つに記載の音響データ記録方法。
【請求項５】
前記削除条件は、再生中にユーザによって削除が指示されることを特徴とする請求項４記載の音響データ記録方法。
【請求項６】
前記削除条件は、再生頻度が、所定の頻度以下であることを特徴とする請求項４記載の音響データ記録方法。
【請求項７】
前記削除条件は、複数の音響データを再生する場合に、連続して再生がスキップされた回数が所定の回数以上であることを特徴とする請求項４記載の音響データ記録方法。
【請求項８】
前記削除ステップでは、所定の削除条件に合致した音響データのうち、個別記録領域にも記録されている音響データを削除することを特徴とする請求項４〜７のいずれか１つに記載の音響データ記録方法。
【請求項９】
前記削除ステップでは、一時記録領域の空き容量が所定量以下となったときに、削除することを特徴とする請求項４〜８のいずれか１つに記載の音響データ記録方法。
【請求項１０】
所定の削除条件に合致した音響データのうち、記録された日時が古い音響データから順に削除することを特徴とする請求項９記載の音響データ記録方法。
【発明の詳細な説明】
【技術分野】
【０００１】
本発明は、音源から入力された音響データを記録装置に記録する音響データ記録方法に関する。
【背景技術】
【０００２】
最近の音響システムにおいては、ユーザは、音響データを、たとえば好みの楽曲データを、デジタルデータ放送などの放送媒体を介して受信したり、予め記録されているＣＤ（
Compact Disk）などの記録媒体から読み込むなどして、ユーザの所有するデータ記録装置に記録し、自由に再生して楽しむことができる。
【０００３】
好みの楽曲データを、データ記録装置に記録させる方法としては、ユーザがデータごとに手動で記録させる方法や、放送されるデータの中から自動で選択したデータを記録させる方法などがある。
【０００４】
自動で選択したデータを記録させる方法および装置には以下のものがある。
特許文献１記載の送信装置および受信装置は、送信装置では、放送番組の送信とともに、番組の内容単位で設定されたキーワードを送信し、受信装置では、ユーザにより入力されたキーワードと、受信したキーワードとの一致検出を行い、検出結果に応じて放送信号の記録動作を制御している。
【０００５】
特許文献２記載のＦＭ多重受信機は、入力された音楽データと、復調手段で得られる付加情報データに含まれる音楽データとが一致したとき、受信中の音楽の曲を録音手段に録音させるように制御している。
【０００６】
特許文献３記載の受信機は、デコーダ回路から取り出されたデータが予め指定しておいた条件に合致したとき、記録再生装置に対し、供給されたオーディオ信号を記録するように設定するリモコン信号を送信し、デコーダ回路から取り出されたデータが、他のデータに変化したとき、記録再生装置に対し、記録されたオーディオ信号を繰り返して再生するように設定するリモコン信号を送信する。
【０００７】
特許文献４記載の放送信号記録システムは、放送信号に多重化された文字データに対して、登録されたキーワードに相当する文字列の有無を判別し、判別結果に応じて、記録手段を制御している。
【０００８】
特許文献５記載の受信情報記録システムは、入力された文字情報と、放送信号に多重化された文字情報とを比較し、一致したなら受信した放送信号のプログラム情報を記録媒体に記録する。
【０００９】
特許文献６記載のデジタルテレビ放送受信機は、電源オフ中にチューニングを行って、現在放送中の音声付加情報と、入力された予約楽曲情報とを比較し、放送中の楽曲が予約されている楽曲であると判断したときは、音声録音機器によって録音させる。
【００１０】
【特許文献１】特開平７−２１２３２７号公報
【特許文献２】特開平９−７４３６５号公報
【特許文献３】特許第３２０４２８２号公報
【特許文献４】特開平９−１２１１９７号公報
【特許文献５】特開平１０−５５６５６号公報
【特許文献６】特開２０００−２７０２８０号公報
【発明の開示】
【発明が解決しようとする課題】
【００１１】
上記のように、ユーザが所望する楽曲データを自動で選択して記録することは可能であるが、記録した楽曲データを整理するために、ユーザは、記録位置の変更や不要な楽曲データの削除などを手動で行う必要があり、使い勝手が非常に悪いものとなっている。また、放送を受信した楽曲データの場合、受信品質によってノイズの混入や、データの途切れが発生するという問題がある。
【００１２】
本発明の目的は、ユーザの負荷を軽減し、使い勝手の良い音響データ記録方法を提供することである。
【課題を解決するための手段】
【００１３】
本発明は、音源から入力された音響データを記録装置に記録する音響データ記録方法であって、
複数の記録領域に対して、所定の識別情報を関連付ける識別ステップと、
音源から音響データを入力する入力ステップと、
入力された音響データに付加された所定の付加情報を検出する検出ステップと、
検出された付加情報と、識別情報とを比較して入力された音響データを記録する記録領域を決定する決定ステップと、
決定した記録領域に音響データを記録する記録ステップとを有し、
前記音源は、音響データが多重化された放送信号であり、
放送信号の受信品質を検知する検知ステップを有し、
前記記録ステップでは、検知された受信品質と音響データとを関連付けて記録し、
既に記録されている音響データが入力されたとき、前記決定ステップでは、記録されている受信品質と、検知された受信品質と比較し、検知された受信品質の方が高い場合は、検知された受信品質と入力された音響データとを記録することを特徴とする音響データ記録方法である。
【００２２】
また本発明は、前記決定ステップでは、検知された受信品質が所定の品質より低い場合は、記録領域を決定せず、記録を中止することを特徴とする。
【００２８】
また本発明は、前記記録ステップで記録したときに、いずれの記録領域に記録したかをユーザに報知する報知ステップを有することを特徴とする。
【００２９】
本発明は、前記記録領域は、関連付けられた識別情報に一致した付加情報を有する音響データのみを記録する個別記録領域と、
個別記録領域に関連付けられた識別情報と付加情報にかかわらず音響データの全てを記録する一時記録領域とを有し、
一時記録領域に記録した音響データのうち、所定の削除条件に合致した音響データを削除する削除ステップを有することを特徴とする。
【００３０】
また本発明は、前記削除条件は、再生中にユーザによって削除が指示されることを特徴とする。
【００３１】
また本発明は、前記削除条件は、再生頻度が、所定の頻度以下であることを特徴とする。
【００３２】
また本発明は、前記削除条件は、複数の音響データを再生する場合に、連続して再生がスキップされた回数が所定の回数以上であることを特徴とする。
【００３３】
また本発明は、前記削除ステップでは、所定の削除条件に合致した音響データのうち、個別記録領域にも記録されている音響データを削除することを特徴とする。
【００３４】
また本発明は、前記削除ステップでは、一時記録領域の空き容量が所定量以下となったときに削除することを特徴とする。
【００３５】
また本発明は、所定の削除条件に合致した音響データのうち、記録された日時が古い音響データから順に削除することを特徴とする。
【発明の効果】
【００３６】
本発明によれば、予め複数の記録領域に対して、所定の識別情報を関連付けておき、音響データが入力されると、入力された音響データに付加された所定の付加情報を検出する。検出された付加情報と、識別情報とを比較し、少なくとも一つが一致したとき、一致した識別情報が関連付けられた記録領域に音響データを記録する。付加情報および識別情報は、たとえば、音響データが、楽曲を示すデータの場合、少なくとも楽曲の題名、楽曲の演奏者名、楽曲が属するジャンルのいずれかである。
さらに、放送信号の受信品質を検知し、検知された受信品質と音響データとを関連付けて記録する。既に記録されている音響データが入力されたとき、記録されている受信品質と、検知された受信品質とを比較する。検知された受信品質の方が高い場合は、検知された受信品質と入力された音響データとを記録する。
これにより、音響データが、識別情報が関連付けられた記録領域ごとに振り分けられて記録されるので、ユーザが音響データの整理をする必要がなく、ユーザの負荷を軽減し、使い勝手を良くすることができる。さらに、同じ音響データがすでに記録されていても、受信品質が高いものを上書きして更新するので、高品質の音響データを記録することができる。
また本発明によれば、受信品質が所定の品質より低い場合は、記録領域を決定せず、記録を中止する。
【００３７】
これにより、受信品質が低い場合の音響データ、すなわち品質の劣化した音響データが記録されてしまうことを防ぐことができる。
【００５３】
また本発明によれば、記録ステップで記録したときに、いずれの記録領域に記録したかをユーザに報知する。報知の方法としては、少なくとも表示または音声出力のいずれかで行う。
これにより、記録された音響データをユーザが探す手間を省くことができる。
【００５４】
また本発明によれば、一時記録領域に記録した音響データのうち、所定の削除条件に合致した音響データを削除する。削除条件としては、再生中にユーザによって削除が指示されること、再生頻度が、所定の頻度以下であること、複数の音響データを再生する場合に、連続して再生がスキップされた回数が所定の回数以上であることである。
【００５５】
これにより、種々の条件で音響データを削除することで、ユーザが好みに応じて設定し、使い勝手を向上させることができる。
【００５６】
また本発明によれば、所定の削除条件に合致した音響データのうち、個別記録領域にも記録されている音響データを削除する。一時記録記録領域にのみ記録されており、個別記録領域に記録されていない音響データについては、削除すると完全に消えてしてしまうため、削除の対象となる音響データは、一時記録記録領域および個別記録領域のいずれにも記録されている音響データとすることで、個別記録領域には音響データを残すことができる。
【００５７】
実際には、上記のように所定の削除条件と一致した音響データを、条件と一致した時点で即座に削除する必要はない。記録している音響データの削除を行うのは、記録領域の記録容量を越えないようにするためであるから、記録容量が十分に確保されている場合は、削除条件に一致した音響データがあっても削除しないようにする。本発明では、一時記録領域の空き容量が所定量以下となったときに、記録された日時が古い音響データから順に削除することで、削除処理を一括で行うことができる。
【発明を実施するための最良の形態】
【００５８】
図１は、本発明の実施の一形態である音響データ記録方法を実現するための音響データ記録システム（以下では「記録システム」と略称する。）１００の構成を示すブロック図である。
【００５９】
記録システム１００は、ラジオ・テレビチューナ１、ＤＶＤ・ＣＤ（デッキ２、記録装置３、データデコーダ４、システムコントローラ５、映像処理回路６、表示装置７、音声処理回路８、音声出力装置９および入力装置１０を有する。
【００６０】
ラジオ・テレビチューナ１は、アンテナ１ａを介してデジタルデータ放送の放送信号を複数受信し、受信した複数の放送信号から所定の放送信号を検出し、その中に含まれる音響データや映像データなどをシステムコントローラ５に送る。ＤＶＤ・ＣＤデッキ２は、ＤＶＤやＣＤなどの記録媒体に記録されている音響データや映像データを読み取り、システムコントローラ５に送る。記録装置３は、ハードディスクドライブや、メモリーカードなどの記録媒体で実現され、音響データを、その種類ごとに複数の記録領域に振り分けて記録する。データデコーダ４は、ＤＶＤ・ＣＤデッキ２で読み取られた音響データおよび映像データのデコードを行う。システムコントローラ５は、図示しないＣＰＵ（中央演算処理装置）およびセレクタ５ａを備え、ラジオ・テレビチューナ１およびＤＶＤ・ＣＤデッキ２から送られてくる音響データに対して、曲名やアーティスト名などを検出し、記録装置３の予め定められた記録領域に振り分けて記録させたり、音響データおよび映像データを映像処理回路６または音声処理回路８に送るなど、音響データおよび映像データの送り先の選択を行う。
【００６１】
映像処理回路６は、ラジオ・テレビチューナ１およびＤＶＤ・ＣＤデッキ２から送られてくる映像データを、デジタル／アナログ変換処理などによって、表示装置７に応じた形式の映像データに変換する。表示装置７は、ＣＲＴ（Cathode Ray Tube）や、液晶ディスプレイなどで実現され、映像処理回路６で変換された映像データを表示する。また、記録システム１００の設定画面やメニュー画面など、システムコントローラ５が作成した映像データも表示する。
【００６２】
音声処理回路８は、ラジオ・テレビチューナ１およびＤＶＤ・ＣＤデッキ２から送られてくる音響データを、デジタル／アナログ変換処理などによって、音声出力装置９に応じた形式の音響データに変換する。音声出力装置９は、スピーカなどで実現され、音声処理回路８で変換された音響データを出力する。
【００６３】
入力装置１０は、キーボードなどで構成され、ユーザが操作することで、記録システム１００の各種設定やメニュー画面の操作を行う。
【００６４】
図２は、記録装置３の記録領域を示す図である。記録装置３には、複数の記録領域が設定されており、たとえば図に示すように、一時記録フォルダ、アーティスト別フォルダ、ジャンル別フォルダなどが設定される。なお、図に示したフォルダは一例であり、これら以外のフォルダを設定してもよい。フォルダとは、表示装置７に記録領域を表示する際に、ユーザがわかり易いように、各記録領域に付した呼称であり、各フォルダの中に音響データが振り分けられて記録される。
【００６５】
一時記録フォルダとは、記録しようとする音響データを、一時的に記録しておく一時記録領域であり、アーティスト別フォルダなどの個別のフォルダに記録させる前に記録する領域である。また、一定の期間一時記録フォルダに振り分けずに記録しておくことで、最新の記録データをすぐに確認、再生することができる。アーティスト別フォルダ、ジャンル別フォルダなどの個別フォルダは、後述のフォルダ条件ごとに区別された個別記録領域であり、音響データは、付加されている付加情報と一致するフォルダ条件を有する個別フォルダに記録される。個別フォルダの中にさらに個別フォルダを作成することもできる。
【００６６】
ユーザは、入力装置１０を用いて、フォルダの作成および設定を行うことができる。フォルダの作成によって、新たに記録領域を確保し、他の記録領域と区別するために、ユーザの好みの名称を付けることができる。フォルダの設定によって、作成したフォルダに記録しようとする音響データを識別するための、識別情報や、領域の容量などのフォルダ条件をユーザが入力することができる。フォルダの作成および設定は、システムコントーラ５のＣＰＵが自動で行ってもよい。さらに、フォルダ条件に基づいて音響データを振り分ける時期を示す時期条件や、音響データを消去する際の消去条件など各種条件を記録しておくことができる。なお、フォルダごとの識別条件や領域容量などは、記録装置３に記録させてもよいし、システムコントーラの図示しないＲＡＭ（ランダムアクセスメモリ）に記録させてもよい。いずれにしても、セレクタ５ａは、ラジオ・テレビチューナ１およびＤＶＤ・ＣＤデッキ２から送られてくる音響データ内に付加されている各種付加情報と、フォルダ条件などに基づいて、所定のフォルダ（記録領域）に振り分けて記録させる。
【００６７】
以下では、データ記録処理について詳細に説明する。
ラジオ・テレビチューナ１およびＤＶＤ・ＣＤデッキ２から送られてくる音響データ内に付加されている付加情報には、曲名、アーティスト名、ジャンル種別、再生時間、データ容量などがある。
【００６８】
曲名は、音響データの楽曲の名称であり、アーティスト名は、楽曲を演奏している人物名、グループ名である。ジャンル種別は、楽曲が属するジャンルの種別である。演奏時間は、楽曲を再生するために必要な時間である。データ容量は、音響データの容量である。
【００６９】
・第１のデータ記録処理
第１のデータ記録処理では、予め１または複数のフォルダ条件に定められた１または複数の識別情報と、ラジオ・テレビチューナ１およびＤＶＤ・ＣＤデッキ２から送られてくる音響データの付加情報とを比較し、識別情報と一致する付加情報を有している音響データがあれば、まず一時記録フォルダに記録し、記録が終了した後、個別フォルダに記録する。
【００７０】
一旦、一時記録フォルダに記録することで、記録先の個別フォルダの位置を探すことなく記録を開始することができる。一時記録フォルダへの記録と平行して次の音響データに対する識別情報との比較を行うことができる。特に、放送信号に含まれる音響データのように連続的に音響データを処理する必要がある場合に有効である。
【００７１】
・第２のデータ記録処理
第２のデータ記録処理では、第１のデータ記録処理と音響データを記録する時期が異なり、識別条件と一致する付加情報を有している音響データがあれば、一時記録フォルダと個別フォルダとに同時に記録する。
同時に記録することで記録に要する時間を短縮することができる。
【００７２】
・第３のデータ記録処理
第３のデータ記録処理では、識別条件と一致する付加情報を有している音響データがあれば、個別フォルダにのみ記録する。一時記録フォルダには、過去数日間に記録された音響データを記録する。たとえば、ユーザが所望する条件、現在から過去に遡る日数などを入力すると、個別フォルダに記録されている全ての音響データについて、記録されてからの経過日数を算出し、算出された経過日数が、入力された日数以下である音響データを全て複製し、複製された音響データを一時記録フォルダに記録する。
【００７３】
このように、直接個別フォルダに記録し、ユーザの必要に応じて一時記録フォルダに複製を記録することで、記録容量の使用量を最小限に抑えることができる。
【００７４】
次に、ラジオ・テレビチューナ１から送られてくる音響データの記録に対するデータ記録処理について説明する。ラジオ・テレビチューナ１が受信する放送信号は、天候や記録システム１００の設置環境などによって、受信品質が影響を受ける。受信品質が悪い場合、放送信号に含まれる音響データおよび映像データには、ノイズが混入したり、データが途切たりして、品質の劣化した音響データおよび映像データを記録することになってしまう。記録システム１００は、放送信号に含まれる音響データであっても、高品質の音響データを記録することができる。
【００７５】
・第４のデータ記録処理
第４のデータ記録処理では、ラジオ・テレビチューナ１が受信した放送信号の受信品質を検出し、受信品質が低い場合は、放送信号に含まれる音響データの付加情報と、識別状況との比較は行わない。所定の受信品質以上の場合は、第１〜第３のデータ記録処理と同様に音響データの記録を行う。
【００７６】
ここで受信品質を評価するための具体的な値としては、受信した放送信号の電界強度、エラーレートおよびＳＮ（Signal to Noise）比などがある。
【００７７】
予め閾値を定めておき、放送信号を受信すると同時に、前述のような評価値を検出して閾値と比較する。受信品質が低いか否かの判断は、受信した放送信号に含まれる音響データのうち、評価値が閾値以下であったデータの割合（低品質割合）を算出し、低品質割合が所定の割合を越えていた場合に、受信品質が低いと判断する。または、誤り訂正ができないデータの割合が所定の割合を越えていた場合に、受信品質が低いと判断する。
【００７８】
このように受信品質が低い場合の音響データ、すなわち品質の劣化した音響データが記録されてしまうことを防ぐことができる。
【００７９】
図３は、データ記録処理を示すフローチャートである。なお、この処理はラジオ・テレビチューナ１の動作中に繰り返し実行される。
【００８０】
まず、ステップＳ１では、ラジオ・テレビチューナ１における放送信号の各種処理を行いステップＳ２に進む。ステップＳ２では、受信品質が低いか否かを、たとえば電界強度、ノイズレベル、エラーレートなどに基づき判断する。低ければ処理を終了し、高ければステップＳ３に進む。ステップＳ３では、放送信号に含まれる音響データを記録し、処理を終える。なお、音響データの記録は、楽曲データなどの一連のデータ単位で行い、たとえば楽曲データの一部で受信状態が悪化した場合は、記録を中止する。
【００８１】
・第５のデータ記録処理
第５のデータ記録処理では、ラジオ・テレビチューナ１が受信した放送信号の受信品質を検出し、フォルダ条件に識別情報と、ラジオ・テレビチューナ１から送られてくる音響データの付加情報とを比較し、識別条件と一致する付加情報を有している音響データがあれば、検出した受信品質を示す品質情報と関連付けて記録する。品質情報とは、音響データ受信時の受信品質を示す情報であり、第４のデータ記録処理で算出した低品質割合などである。すでに同じ音響データが記録されており、品質情報が記録されている場合は、検出した音響データの品質情報とを比較し、検出した品質情報のほうが良い場合は、送られてきた音響データと、検出した品質情報とで上書きして記録する。
【００８２】
このように、同じ音響データがすでに記録されていても、受信品質が高いものを上書きして更新するので、高品質の音響データを記録することができる。
【００８３】
図４は、データ記録処理を示すフローチャートである。なお、この処理はラジオ・テレビチューナ１の動作中に繰り返し実行される。
【００８４】
ステップＳ１１では、ラジオ・テレビチューナ１における放送信号の各種処理を行いステップＳ１２に進む。ステップＳ１２では、すでに記録されている同じ音響データの受信時の受信品質より低いか否かを判断する。低ければ処理を終了し、高ければステップＳ１３に進む。ステップＳ１３では、新たに受信した音響データで上書きして記録し、処理を終える。
【００８５】
・第６のデータ記録処理
第６のデータ記録処理では、ラジオ・テレビチューナ１が受信した放送信号に含まれる音響データと同じ音響データが、ＤＶＤ・ＣＤデッキ２内のＣＤなど他の記録媒体に記録されているかどうかを検索し、同じ音響データがあれば、放送信号に含まれる音響データではなく、他の記録媒体に記録されている音響データを、第１〜第３のデータ記録処理と同様にして記録を行う。
【００８６】
ＣＤなどの記録媒体に記録されている音響データは、放送信号に含まれる音響データのように品質の劣化がほとんど生じないので、記録媒体に記録されている音響データがあれば、それを記録することで高品質の音響データを記録することができる。
【００８７】
図５は、データ記録処理を示すフローチャートである。なお、この処理はラジオ・テレビチューナ１の動作中に繰り返し実行される。
【００８８】
ステップＳ２１では、ラジオ・テレビチューナ１における放送信号の各種処理を行いステップＳ２２に進む。ステップＳ２２では、他の記録媒体に同じ音響データが記録されているか否かを判断する。記録されていればステップＳ２３に進み、記録されていなければステップＳ２４に進む。ステップＳ２３では、他の記録媒体の音響データを記録し、ステップＳ２４では、放送信号に含まれる音響データを記録し、処理を終える。
【００８９】
上記のようにして音響データを自動で記録する場合、識別情報と付加情報とが一致したときに必ず記録すると同じ音響データが複数記録される可能性がある。これを避けるため、識別情報と付加情報とが一致したときに、一時記録フォルダおよび個別フォルダに記録されている音響データを検索し、記録しようとしている音響データと同じ音響データがすでに記録されているか否かを判断するようにしてもよい。同じ音響データがすでに記録されていれば、現在記録しようとしている音響データは記録しないようにする。なお、検索中は、一時記録フォルダへの記録を継続しておき、検索の結果、同じ音響データが記録されていることが判明した時点で、記録を中止することが好ましい。音響データの検索は時間を要するので、検索と記録を平行して行うことで、処理時間を短縮することができる。
【００９０】
図６は、データ記録処理を示すフローチャートである。なお、この処理はラジオ・テレビチューナ１の動作中に繰り返し実行される。
【００９１】
ステップＳ３１では、ラジオ・テレビチューナ１における放送信号の各種処理を行いステップＳ３２に進む。ステップＳ３２では、一時記録フォルダに同じ音響データが存在するか否かを判断する。存在していればステップＳ３５に進み、存在していなければステップＳ３３に進む。ステップＳ３３では、一時記録フォルダに、放送信号に含まれている音響データの記録を開始する。ステップＳ３４では、他のフォルダに記録されている音響データを検索する。ステップＳ３５では、他のフォルダに存在するか否かを判断する。存在していればステップＳ３６に進み、存在していなければステップＳ３３で開始した音響データの記録を継続する。ステップＳ３６では、ステップＳ３３で開始した音響データの記録を中止し、処理を終える。
【００９２】
また、一時記録フォルダと個別フォルダにはそれぞれ同じ音響データが記録されていてもよいので、一時記録フォルダに記録されている音響データのみを検索するようにしてもよい。
【００９３】
図７は、データ記録処理を示すフローチャートである。なお、この処理はラジオ・テレビチューナ１の動作中に繰り返し実行される。
【００９４】
ステップＳ４１では、ラジオ・テレビチューナ１における放送信号の各種処理を行いステップＳ４２に進む。ステップＳ４２では、一時記録フォルダに同じ音響データが存在するか否かを判断する。存在していれば処理を終了し、存在していなければステップＳ４３に進む。ステップＳ４３では、放送信号に含まれている音響データを一時記録フォルダに記録し、処理を終える。
【００９５】
各データ記録処理によって音響データの記録が完了したときは、音響データが記録されたフォルダをユーザに対して報知することが好ましい。たとえば、記録完了時に、表示装置７に記録先のフォルダ名と、音響データの記録が完了した旨のメッセージを表示してもよいし、ユーザが表示装置７を見ていないことを想定して、音声出力装置９から音声でフォルダ名と、音響データの記録が完了した旨のメッセージを出力してもよい。音響データが再生中の場合は、割り込み処理によって、音声出力を行う。報知することで、自動で記録された音響データをユーザが探す手間を省くことができる。
【００９６】
図８は、記録完了の報知処理を示すフローチャートである。なお、この処理は、各データ記録処理の終了後に実行される。
【００９７】
ステップＳ５１では、条件が一致した音響データの記録を開始する。ステップＳ５２で記録が完了すると、ステップＳ５３で表示装置７または音声出力装置９などで報知し、処理を終える。
【００９８】
上記のようにして記録した音響データは、記録システム１００が動作し続けるに従い増加するが、記録装置７の記録容量には限りがあるため、適度に記録した音響データを削除することが必要である。手動で削除することは、ユーザに与える負荷が大きく好ましくない。記録システム１００では、所定の削除条件に合致した音響データを自動で削除することができる。
【００９９】
・第１のデータ削除処理
第１のデータ削除処理では、一時記録フォルダに記録されている音響データのうち、記録されてから現在までの経過時間が所定時間を越える音響データを削除する。削除の基準となる所定時間は、ユーザが入力して設定する。ユーザが入力しない場合でも削除可能なように、初期値を設定しておくことが望ましい。また、経過時間の算出、所定時間との比較および削除などの処理は、たとえば、一日に一回、設定された時間に行うようにしてもよいし、記録システム１００の電源をオフするときに行うようにしてもよい。
【０１００】
なお、一時記録フォルダにのみ記録されており、個別ファイルに記録されていない音響データについては、削除すると記録装置７から完全に消えてしてしまうため、削除の対象となる音響データは、一時記録フォルダおよび個別フォルダのいずれにも記録されている音響データとしてもよい。
【０１０１】
・第２のデータ削除処理
第２のデータ削除処理では、音響データが再生中にユーザが指示すると、再生中の音響データが削除される。ユーザは、入力装置１０の所定のキーを入力することで削除の指示を行う。ユーザが曲を聞いているその場で指示を出すことができるので、容易に削除することができる。
【０１０２】
・第３のデータ削除処理
第３のデータ削除処理では、再生頻度が、所定の頻度以下の音響データを削除する。再生頻度とは、一定期間内での再生回数である。また再生したことをカウントする条件としては、たとえば、データ量にして５０％以上が再生された場合や時間にして１分間以上再生された場合などである。
【０１０３】
一定期間および所定の頻度は、ユーザが入力して設定する。ユーザが入力しない場合でも削除可能なように、初期値を設定しておくことが望ましい。また、再生頻度の算出、所定頻度との比較および削除などの処理は、たとえば、一日に一回、設定された時間に行うようにしてもよいし、記録システム１００の電源をオフするときに行うようにしてもよい。
【０１０４】
・第４のデータ削除処理
第４のデータ削除処理では、複数の音響データを再生する場合に、連続して再生がスキップされた回数が所定の回数以上の音響データを削除する。たとえば、一時記録フォルダに記録されている音響データを所定の順序で全て再生するような場合に、再生が連続してスキップされた回数をカウントする。スキップとは、再生される予定であったにも関わらず、再生されることなく、次に再生する音響データ以降の音響データが再生された場合、または再生直後に再生が中断され、次に再生する音響データ以降の音響データが再生された場合である。ユーザが入力装置１０を操作することでスキップが生じる。このようなスキップが連続して所定回数生じた場合に音響データを削除する。音響データに対するスキップ回数をカウントしておき、所定回数と比較して一致したときに削除行う。スキップ回数は連続したスキップ回数であるので、スキップされずに再生された場合は、それまでのスキップ回数はリセットされて０となる。
【０１０５】
上記のように、種々の条件で音響データを削除することにより、ユーザが好みに応じて設定し、使い勝手を向上させることができる。
【０１０６】
図９は、データ削除処理を示すフローチャートである。なお、この処理は、所定の期間ごとに定期的に実行されたり、電源のオンまたはオフのときなどに実行される。
【０１０７】
ステップＳ６１では、上記のような削除条件に一致する音響データを一時記録フォルダ内で検索する。ステップＳ６２では、削除条件に一致する音響データが存在するか否かを判断する。存在すればステップＳ６３に進み、存在しなければ処理を終了する。
【０１０８】
なお、削除の対象を音響データとして説明したが、フォルダごとに削除するようにしてもよい。個別フォルダに対して、最近音響データが記録された日時や、個別フォルダに記録された音響データの平均頻度などを用いて、削除条件と一致したフォルダごと削除する。
【０１０９】
実際には、上記のように所定の条件と一致した音響データを、条件と一致した時点で即座に削除する必要はない。記録している音響データの削除を行うのは、記録装置３の記録容量を越えないようにするためであるから、記録容量が十分に確保されている場合は、削除条件に一致した音響データがあっても削除しないようにする。すなわち、記録装置３の空き容量が所定量以下となったときに、削除条件に一致した音響データを削除するようにする。記録装置３の空き容量が所定量以下となった時点で、削除条件に一致した音響データは複数ある場合が多いので、複数の音響データのうち、記録された日付が古い音響データから順に、記録装置３の空き容量が十分に所定量を越えるまで削除するようにしてもよいし、削除条件に一致した音響データは全て削除するようにしてもよい。なお、空き容量としては、記録装置３全体の空き容量ではなく、たとえば一時記録フォルダに割り当てる記録容量を予め設定しておき、一時記録フォルダの空き容量が所定量以下となった時点で、削除するようにしてもよい。
【０１１０】
また、削除を行う基準を、空き容量が所定量以下となった場合ではなく、記録している音響データの数が所定数以上となった場合としてもよい。
【０１１１】
音響データを削除する時点で、ユーザに対して削除するか否かの確認を行うことが好ましい。確認は、たとえば表示装置７に記録されているフォルダ名、音響データの曲名などを表示し、削除してもよいかどうかを確認する。ユーザは、入力装置１０を操作することで、削除の許可または非許可を指示することができる。許可の場合は、音響データを削除する。非許可の場合は、削除は行わない。ただし、ユーザの指示により削除を行わなかった音響データは、依然として削除の条件を満足しているため、すぐに削除の対象となってしまう。したがって、記録された日時や、連続スキップ回数など、削除の条件に関するパラメータについては全てリセットするようにしてもよい。
【０１１２】
図１０は、削除確認を行うデータ削除処理を示すフローチャートである。なお、この処理は、所定の期間ごとに定期的に実行されたり、電源のオンまたはオフのときなどに実行される。
【０１１３】
ステップＳ７１では、削除条件に一致する音響データを一時記録フォルダ内で検索する。ステップＳ７２では、削除条件に一致する音響データが存在するか否かを判断する。存在すればステップＳ７３に進み、存在しなければ処理を終了する。ステップＳ７３では、ユーザによって削除が許可されたか否かを判断する。許可されればステップＳ７４に進み、許可されなければ処理を終了する。ステップＳ７４では、削除条件に一致する音響データを削除する。
【図面の簡単な説明】
【０１１４】
【図１】本発明の実施の一形態である音響データ記録方法を実現するための音響データ記録システム１００の構成を示すブロック図である。
【図２】記録装置３の記録領域を示す図である。
【図３】データ記録処理を示すフローチャートである。
【図４】データ記録処理を示すフローチャートである。
【図５】データ記録処理を示すフローチャートである。
【図６】データ記録処理を示すフローチャートである。
【図７】データ記録処理を示すフローチャートである。
【図８】記録完了の報知処理を示すフローチャートである。
【図９】データ削除処理を示すフローチャートである。
【図１０】削除確認を行うデータ削除処理を示すフローチャートである。
【符号の説明】
【０１１５】
１  ラジオ・テレビチューナ
２  ＤＶＤ（Digital Versatile Disk）・ＣＤ（Compact Disc）デッキ
３  記録装置
４  データデコーダ
５  システムコントローラ
６  映像処理回路
７  表示装置
８  音声処理回路
９  音声出力装置
１０  入力装置
１００  音響データ記録システム
【図１】
0004633345.tif 000002
【図２】
0004633345.tif 000003
【図３】
0004633345.tif 000004
【図４】
0004633345.tif 000005
【図５】
0004633345.tif 000006
【図６】
0004633345.tif 000007
【図７】
0004633345.tif 000008
【図８】
0004633345.tif 000009
【図９】
0004633345.tif 000010
【図１０】
0004633345.tif 000011